(57)【要約】  【課題】  発泡樹脂の注入充填状況等を容易に目視確認できるとともに、施工工程を省力化し、しかも、目地断熱層の損傷や欠損を防ぎ、かつ高密度発泡により品質の向上を図って所定の断熱性能を確保できるようにする。  【解決手段】  隣接する断熱パネル３，３の対向端面と両断熱パネル３，３をピース材６と協働して挟持固定する目地金物５とにより形成される目地隙間４の開放部を透明テープ７で閉鎖し、その閉鎖した目地隙間４に断熱性発泡樹脂を注入し発泡することにより目地断熱層１１を形成する。  【選択図】      図１
2005126949.tif 000002
【特許請求の範囲】
【請求項１】
表裏の金属面材間に発泡性樹脂断熱層を形成してなる複数枚の断熱パネルを前記発泡性樹脂断熱層の露出する端面同士が目地隙間を隔てて対向するように配置し、その目地隙間を隔てて対向配置された隣接断熱パネルの端部同士を目地金物とピース材との連結により挟持固定した後、前記目地隙間のピース材側に位置する隣接断熱パネルの端部間に亘り透明材を貼付け、この透明材と前記目地金物及び隣接断熱パネルの端面により閉鎖された目地隙間内に断熱性発泡樹脂を注入し発泡して目地断熱層を形成することを特徴とする断熱パネルの目地部断熱施工方法。
【請求項２】
前記目地隙間が、垂直姿勢に立設される隣接断熱パネルの端面間に形成される縦目地であり、前記透明材が防湿性を有する透明テープである請求項１に記載の断熱パネルの目地部断熱施工方法。
【請求項３】
前記目地隙間が、水平姿勢に架設支持される隣接断熱パネルの端面間に形成される横縦目地であり、前記透明材が剛性の高い透明樹脂カバーである請求項１に記載の断熱パネルの目地部断熱施工方法。
【請求項４】
前記透明樹脂カバーには、断熱性発泡樹脂注入用の孔が形成されており、注入後はテープにより閉塞される請求項３に記載の断熱パネルの目地部断熱施工方法。
【発明の詳細な説明】
【技術分野】
【０００１】
本発明は、例えば冷凍冷蔵庫等における内壁や天井用の内装材として用いられる断熱パネルの目地部断熱施工方法に関するもので、詳しくは、同一面内に並列配置された複数枚の断熱パネルで隣接パネルの端面間に形成される目地隙間に、ポリウレタン等の断熱性発泡樹脂を注入し発泡することにより、目地部の断熱性を確保する断熱パネルの目地部断熱施工方法に関するものである。
【背景技術】
【０００２】
断熱パネルの目地部には、内壁用の内装材として垂直姿勢に立設される断熱パネルの隣接端面間に形成される縦目地と、天井用の内装材として水平姿勢に架設支持される断熱パネルの隣接端面間に形成される横目地とがある。これら目地部の断熱性を確保するにあたって、従来、縦目地の場合は、図３に示すように、表裏一対の金属面材２０ａ，２０ａ間に硬質ポリウレタンフォーム等の発泡性樹脂断熱層２０ｂを形成してなる断熱パネル２０で、壁面方向に隣接するパネル２０，２０の端部同士を、筒状雌ねじ部材２１付き目地金物２２と目地長手方向に断片的に配置されるピース材２３とを前記雌ねじ部材２１及びこれに螺合するボルト２４を介して固定連結することにより表裏両側から挟持固定した後、目地金物２２と隣接断熱パネル２０，２０の対向する端面とによって三方が囲まれて形成された目地隙間２５にポリウレタン等の断熱性発泡樹脂を注入し発泡して目地断熱層２６を形成し、その目地断熱層２６の表面全域に防湿材２７を塗布する目地部断熱施工方法が採用されていた。
【０００３】
また、横目地の場合は、図４に示すように、吊りボルト２８及び吊り金物２９により天井面に水平姿勢に吊り下げ施工された天井用の隣接断熱パネル２０，２０の対向端面と吊り金物２９とによって三方が囲まれて形成された目地隙間３０にポリウレタン等の断熱性発泡樹脂を注入し発泡して目地断熱層３１を形成し、その目地断熱層３１の表面全域に防湿材３２を塗布する目地部断熱施工方法が採用されていた（例えば、特許文献１参照）。
【０００４】
【特許文献１】特開平１０−８８６８４号公報
【発明の開示】
【発明が解決しようとする課題】
【０００５】
しかし、上記した従来の目地部断熱施工方法は、縦目地及び横目地のいずれの場合もポリウレタン等の断熱性発泡樹脂がフリー発泡されるために、目地断熱層２６，３１の樹脂発泡密度が低く、かつ、発泡にばらつきを生じやすいだけでなく、その発泡樹脂の硬化収縮に伴い目地断熱層２６，３１に割れを発生したり、金物２２や２９等の変形を発生しやすい。また、防湿材２７，３２が発泡樹脂の注入発泡後に塗布されるものであるから、損傷を受けやすい。特に、横目地の場合は、後工程作業のために作業者が天井裏を歩行することが多く、その歩行によって防湿材３２を剥がしたり、傷付けたり、更には目地断熱層２６，３１の樹脂を欠損しやすく、目地部における断熱性能・防湿性能の低下は避けられないという問題があった。
【０００６】
また、前記ピース材２３に代えて、目地長手方向に連続する長尺材を用いることで、目地隙間２５をその四方が囲まれた閉鎖空間とし、この閉鎖空間からなる目地隙間２５に長尺材に断片的に形成した注入穴に差し入れたスプレーノズルを介してポリウレタン等の断熱性発泡樹脂を注入し発泡させて目地断熱層２６を形成する断熱施工方法も考えられているが、この場合は、断熱性発泡樹脂の注入充填状況、発泡状況及び発泡後の状況を目視確認することができないために、発泡品質にばらつきを生じやすく目地断熱層２６の断熱性能を信頼性の高いものとすることができないという問題がある。
【０００７】
本発明は上記実情に鑑みてなされたもので、発泡樹脂の注入充填状況、発泡状況等の目視確認が容易であるとともに、施工工程の省力化が図れ、しかも、施工された目地断熱層の損傷や欠損を防ぎ、かつ高密度発泡により品質の向上が図れて所定の断熱性能を確保することができる断熱パネルの目地部断熱施工方法を提供することを目的としている。
【課題を解決するための手段】
【０００８】
上記目的を達成するために、本発明に係る断熱パネルの目地部断熱施工方法は、表裏の金属面材間に発泡性樹脂層を形成してなる複数枚の断熱パネルを前記発泡性樹脂層の露出する端面同士が目地隙間を隔てて対向するように配置し、その目地隙間を隔てて対向配置された隣接断熱パネルの端部同士を目地金物とピース材との連結により挟持固定した後、前記目地隙間のピース材側に位置する隣接断熱パネルの端部間に亘り透明材を貼付け、この透明材と前記目地金物及び隣接断熱パネルの端面により閉鎖された目地隙間内に断熱性発泡樹脂を注入し発泡して目地断熱層を形成することを特徴としている。
【発明の効果】
【０００９】
上記のような特徴を有する本発明によれば、目地金物と隣接断熱パネルの端面により三方が囲まれて形成された目地隙間のピース材側の開放部が透明材により閉鎖され、その閉鎖された目地隙間内に断熱性発泡樹脂を注入し発泡させることにより、発泡樹脂の目地隙間への注入充填状況、発泡状況、発泡後の硬化状況等を作業者自身が容易に目視確認することができるとともに、透明材の存在により目地隙間内圧を発泡樹脂に付加させてばらつきのない、かつ、高い密度の発泡を可能にして高品質の目地断熱層を形成することができる。しかも、透明材が防湿材を兼ねることになるので、発泡樹脂の注入発泡後における防湿材塗布の工程を省略することが可能である。したがって、目地部断熱施工全体の工程を合理化、省力化して施工コストの低廉化を図りつつ、非常に優れた断熱性能、防湿性能をもつ目地断熱層を確実に施工することができるという効果を奏する。
【００１０】
本発明に係る断熱パネルの目地部断熱施工方法は、請求項２に記載のように、前記目地隙間が、垂直姿勢に立設される隣接断熱パネルの端面間に形成される縦目地、あるいは、請求項３に記載のように、前記目地隙間が、水平姿勢に架設支持される隣接断熱パネルの端面間に形成される横縦目地のいずれの断熱施工に適用しても上記のような効果を奏することが可能であるが、特に、請求項３に記載の横目地の断熱施工に適用する場合における透明材として、剛性の高い透明樹脂カバーを用いることが望ましい。このような高剛性の透明樹脂カバーを使用することにより、断熱施工後の種々工程作業のために作業者が天井裏を歩行する際に目地断熱層を蹴飛ばして損傷したり、欠損したりしないように十分に保護することが可能で、所期どおりの断熱性能・防湿性能を確保することができる。
【００１１】
なお、高剛性の透明樹脂カバーを使用する際、そのカバーに形成されている断熱性発泡樹脂注入用の孔を、注入後はテープにより閉塞することにより、例えば漏水等があった場合にその一部の水分が目地断熱層に侵入することを防いで、断熱性能・防湿性能を長期に亘って安定よく維持することができる。
【発明を実施するための最良の形態】
【００１２】
以下、本発明の実施の形態を図面にもとづいて説明する。
図１は、本発明に係る断熱パネルの目地部断熱施工方法を縦目地の断熱施工に適用した場合の要部の拡大横断面図であり、薄鋼板など表裏の金属面材１，１間に硬質ポリウレタンフォーム等の発泡性樹脂断熱層２を形成してなる断熱パネル３の複数枚を垂直姿勢に並列配置して立設することにより冷凍冷蔵庫等における内壁を構成している。
【００１３】
かかる内壁を構成する複数枚の断熱パネル３でそれぞれ隣接する断熱パネル３，３間には、両断熱パネル３，３における発泡性樹脂断熱層２，２の露出する端面同士が目地隙間４を隔てて対向するように配置されている。この目地隙間４を隔てて対向配置された隣接断熱パネル３，３の端部同士は、筒状雌ねじ部材９付き目地金物５と目地長手方向に断片的に配置されるピース材６とを前記雌ねじ部材９及びこれに螺合するボルト１０を介して固定連結することにより表裏両側から挟持固定されている。
【００１４】
このように表裏両側から挟持固定された隣接断熱パネル３，３端面間に形成された目地隙間４のピース材６側に、隣接断熱パネル３，３の端部間に亘り防湿性を有する透明テープ７（透明材の一例）を貼付け、この透明テープ７上から該透明テープ７の一部を突き破る状態でスプレーガン（図示省略する）の先端部を目地隙間４に差し込んで、透明テープ７、目地金物５及び隣接断熱パネル３，３の対向端面で四方が取り囲まれるように閉鎖された目地隙間４にポリウレタン等の断熱性発泡樹脂を注入し発泡させることにより所定の目地断熱層１１が施工されている。
【００１５】
上記のような縦目地の断熱施工に際して、目地隙間４のピース材６側の開放部を透明テープ７により閉鎖することにより、発泡樹脂の目地隙間４への注入充填状況、発泡状況、発泡後の硬化状況等を作業者自身が容易に目視確認することができるとともに、透明テープ７の存在により目地隙間４の内圧を発泡樹脂にかけて高密度の発泡を可能とし目地断熱層１１の品質を向上することができる。その上、目地断熱層１１の施工後も透明テープ７を残しておくことにより、その透明テープ７が防湿機能を果たすことになり、目地断熱層１１の施工後に防湿材を塗布する工程を不要として施工コストの低廉化を図ることができる。
【００１６】
図２は、本発明に係る断熱パネルの目地部断熱施工方法を横目地の断熱施工に適用した場合の要部の拡大縦断面図であり、吊りボルト１２及び吊り金物１３により天井面に水平姿勢に吊り下げ施工された冷凍冷蔵庫等における天井用の隣接断熱パネル３，３には、これら断熱パネル３，３における発泡性樹脂断熱層２，２の露出する端面と吊り金物１３とによって三方が囲まれた目地隙間１４が形成されている。この目地隙間１４の上部開放側には、断面形状角樋形に形成された高剛性の透明樹脂カバー（透明材の他の例）１５がその両側の張出板部１５ａ，１５ａを隣接断熱パネル３，３の表面金属面板１，１に両面テープ、あるいは、ねじを介して取付けることにより隣接断熱パネル３，３の端部間に亘って固定されている。
【００１７】
そして、前記透明樹脂カバー１５の頂板部１５ｂには目地長手方向に沿って所定間隔で断熱性発泡樹脂注入用の孔１６が形成されており、この孔１６を通してスプレーガン（図示省略する）の先端部を目地隙間４に差し込んで、透明樹脂カバー１５、吊り金物１３及び隣接断熱パネル３，３の対向端面で四方が取り囲まれるように閉鎖された目地隙間１４にポリウレタン等の断熱性発泡樹脂を注入し発泡させることにより所定の目地断熱層１７が施工されている。なお、目地断熱層１７の施工後は、断熱性発泡樹脂注入用の孔１６をテープ等で閉塞することにより、前記透明樹脂カバー１５が目地断熱層１７に対する防湿カバー機能も発揮するものである。
【００１８】
上記のような横目地の断熱施工においても、目地隙間１４の上部開放を透明樹脂カバー１５により閉鎖することにより、発泡樹脂の目地隙間１４への注入充填状況、発泡状況、発泡後の硬化状況等を作業者自身が容易に目視確認することができるとともに、透明樹脂カバー１５の存在により目地隙間１４の内圧を発泡樹脂にかけて高密度の発泡を可能とし目地断熱層１７の品質を向上することができる。また、目地断熱層１７の施工後も高剛性の透明樹脂カバー１５が残存しているので、上述した防湿機能だけでなく、断熱施工後の種々工程作業のために作業者が天井裏を歩行する際に目地断熱層１７を蹴飛ばして損傷したり、欠損したりしないように保護する断熱保護機能も発揮して、所期の断熱性能・防湿性能を確実に保持することができる。
【図面の簡単な説明】
【００１９】
【図１】本発明に係る断熱パネルの目地部断熱施工方法を縦目地の断熱施工に適用した場合の要部の拡大横断面図である。
【図２】本発明に係る断熱パネルの目地部断熱施工方法を横目地の断熱施工に適用した場合の要部の拡大縦断面図である。
【図３】従来の断熱パネルの縦目地部の断熱施工状態を示す要部の拡大横断面図である。
【図４】従来の断熱パネルの横目地部の断熱施工状態を示す要部の拡大横断面図である。
【符号の説明】
【００２０】
１  金属面材
２  発泡性樹脂断熱層
３  断熱パネル
４，１４  目地隙間
５  目地金物
６  ピース材
７  透明テープ（透明材の一例）
１１，１７  目地断熱層
１５  透明樹脂カバー（透明材の他の例）
【図１】
2005126949.tif 000003
【図２】
2005126949.tif 000004
【図３】
2005126949.tif 000005
【図４】
2005126949.tif 000006